【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
シャーシ及び前記シャーシ内に取り付けられたモジュールを有する通信アセンブリであって、
前記シャーシは、
開放した前面を通じてアクセス可能である内部空間を規定している上部、底部、及び対向する側部を有するハウジングであって、前記内部空間は、前記開放した前面に対向している背面によって実質的に閉鎖されている、ハウジングと、
前記内部空間内の少なくとも１つの取り付け場所と、
前記内部空間内に取り付けられた前記取り付け場所のそれぞれに対応する少なくとも１つの光ファイバアダプタアセンブリであって、それぞれのアダプタアセンブリは前記モジュールとは独立して前記シャーシに取り付けられており、前記アダプタアセンブリ及び前記モジュールが前記シャーシ内に取り付けられる時に前記モジュールと前記アダプタアセンブリとは互いに係合し、それぞれのアダプタアセンブリは、単一のハウジングを含み、該単一のハウジング内には、複数のアダプタが一体で形成されており、それぞれのアダプタは、前記開放した前面に向かって方向付けられた前面端部と、前記背面に向かって方向付けられた背面端部と、前記前面端部と前記背面端部との間に位置するアクセス開口部と、を含んでおり、それぞれの端部は、光ファイバコネクタを収容するべく構成されており、前記光ファイバアダプタアセンブリは、それぞれのアダプタに対して内部ハウジングコンポーネント及びフェルールアライメントスリーブを含んでおり、前記アクセス開口部は、前記内部ハウジングコンポーネント及び前記フェルールアライメントスリーブを前記前面端部と前記背面端部との間において前記アダプタ内に配置できるようにサイズ設定されており、パネルが、それぞれのアダプタの前記アクセス開口部内に位置しており、前記内部ハウジングコンポーネント及び前記フェルールアライメントスリーブを前記アダプタ内に保持する、少なくとも１つの光ファイバアダプタアセンブリと、
を有しており、
それぞれのアダプタアセンブリハウジングは、前記シャーシの前記側部の中の１つに隣接した取り付け部を含んでおり、前記アダプタアセンブリは、前記アダプタアセンブリの前記アダプタの前記背面端部に対するアクセスを許容するべく、前記シャーシの前記開放した前面を通じて前記内部空間から取り外し可能であり、前記アダプタアセンブリは、前記アダプタを前記開放した前面の背後において前記内部空間内に配置しており、
前記モジュールは、前記取り付け場所の中の１つのものに取り付けられており、且つ、前記アダプタアセンブリの前記複数の光ファイバアダプタに係合する複数の光ファイバコネクタが取り付けられるバルクヘッドを有するハウジングを含んでおり、前記モジュールの前記バルクヘッドは、前記モジュールの前記ハウジングの最も後方の延出部の前方に位置している、通信アセンブリ。
【請求項２】
前記モジュールは、
内部空間を規定している本体と、
前記ハウジングの前記内部空間内の少なくとも１つの光学コンポーネントと、
ケーブル出口を有する前面と、
を更に有する請求項１記載の通信アセンブリ。
【請求項３】
前記アダプタアセンブリは、前記シャーシの前記背面の前方に前記複数のアダプタを配置している請求項１記載の通信アセンブリ。
【請求項４】
それぞれのモジュールは、対向する取り付けフランジのペアを含んでおり、それぞれの取り付け場所は、前記モジュールの前記フランジを収容するべく、対向するスロットのペアを含んでいる請求項１記載の通信アセンブリ。
【請求項５】
前記モジュールの前記本体は、前記モジュールの前記バルクヘッドと背面の間に相対的に浅い深さを、そして、前記モジュールの前記バルクヘッドと前記前面の間に相対的に大きな深さを規定している請求項２記載の通信アセンブリ。
【請求項６】
前記アダプタアセンブリは、前記シャーシの前記側部の中の１つに隣接して位置しており、前記取り付け部は、前記隣接する側部に沿って前記前面開口部に対して延出しており、前記取り付け部は、取り外し可能な留め具によって前記シャーシに対して解放可能に保持されている請求項１記載の通信アセンブリ。
【請求項７】
前記アダプタアセンブリは、取り外し可能な留め具によって前記取り付け場所において保持されており、前記モジュールの前記前面は、前記モジュールが前記取り付け場所に取り付けられた際に前記取り外し可能な留め具に対するアクセスを防止する延出部を含んでいる請求項６記載の通信アセンブリ。
【請求項８】
前記取り外し可能な留め具は、前記アダプタアセンブリの前方延出部によって係留された状態で保持されたツマミネジであり、且つ、前記シャーシの留め具開口部内において取り外し可能に収容されている請求項６記載の通信アセンブリ。
【請求項９】
前記モジュールは、解放可能なラッチによって前記取り付け場所において保持されている請求項１記載の通信アセンブリ。
【請求項１０】
前記モジュールは、前記バルクヘッド上に４つの光ファイバコネクタを含んでおり、前記アダプタアセンブリは、それぞれが前記光ファイバコネクタの中の１つのものを収容する４つの光ファイバアダプタを含んでいる請求項２記載の通信アセンブリ。
【請求項１１】
前記モジュールは、前記前面上にケーブル出口のペアを含んでいる請求項２記載の通信アセンブリ。
【請求項１２】
前記ケーブル出口は、前記ケーブル出口を通じて延出する光ファイバケーブルに対して曲げ半径保護を提供するべく、ベル形状の部分を含んでいる請求項２記載の通信アセンブリ。
【請求項１３】
前記シャーシの前記取り付け場所の中の１つのものは、前記アダプタアセンブリの前記複数の光ファイバアダプタの中の１つのものに対して延出すると共にこの光ファイバアダプタの前記背面内に収容される光ファイバケーブルを更に含んでおり、前記シャーシの前記前面開口部を通じて前記アダプタアセンブリを取り外すことにより、前記アダプタの前記背面内に収容された前記光ファイバケーブルに対してアクセス可能である請求項１記載の通信アセンブリ。
【請求項１４】
前記光ファイバアダプタの前記背面に対して延出している前記光ファイバケーブルには、前記シャーシの前記前面開口部を通じて前記アダプタアセンブリを取り外すことによってアクセス可能であり、前記光ファイバケーブルを前記アダプタの前記背面から取り外して清掃可能であり、前記光ファイバケーブルを前記アダプタ内に再配置可能であり、且つ、前記アダプタアセンブリを前記シャーシ内に再配置可能である請求項１３記載の通信アセンブリ。
【請求項１５】
シャーシ内においてモジュールを取り付ける方法であって、
前面開口部及びモジュール取り付け場所を含むシャーシを提供する段階であって、アダプタアセンブリが、前記モジュール取り付け場所において前記シャーシの内部空間内に配置されており、且つ、該アダプタアセンブリには、前記前面開口部を通じてアクセス可能であり、前記アダプタアセンブリは、複数の光ファイバアダプタを含む単一の本体を含んでおり、前記複数の光ファイバアダプタは前記単一の本体によって一体に形成され、光ファイバケーブルのコネクタは、それぞれのアダプタの背面内に収容され、それぞれのアダプタは、前記アダプタの前記背面と前面との間に位置するアクセス開口部を含んでおり、前記アダプタアセンブリは、それぞれのアダプタに対して内部ハウジングコンポーネント及びフェルールアライメントスリーブを含んでおり、前記アクセス開口部は、前記内部ハウジングコンポーネント及び前記フェルールアライメントスリーブを前記アダプタの前記前面と前記背面との間において前記アダプタ内に配置できるようにサイズ設定されており、パネルが、それぞれのアダプタの前記アクセス開口部内に位置しており、前記内部ハウジングコンポーネント及び前記フェルールアライメントスリーブを前記アダプタ内に保持する、段階と、
前記取り付け場所に取り付けられるべく適合されたモジュールを更に提供する段階であって、前記モジュールは、複数の光ファイバコネクタを有するバルクヘッドを含んでいる、段階と、
前記前面開口部を通じて前記シャーシの前記内部空間から前記アダプタアセンブリを取り外す段階と、
前記アダプタの前記背面から前記光ファイバケーブルの前記コネクタを取り外し、前記光ファイバケーブル内の前記光ファイバの端面を検査する段階と、
前記光ファイバケーブルを有する前記コネクタを前記アダプタの前記背面内に再配置する段階と、
前記アダプタアセンブリを前記取り付け場所において前記シャーシ内に再配置する段階と、
前記前面開口部を通じて前記取り付け場所において前記シャーシ内に前記モジュールを挿入し、それぞれのアダプタの前記前面を前記モジュールの前記バルクヘッドの前記コネクタの中の１つと係合させる段階と、
を有する方法。
【請求項１６】
内部空間を規定すると共に、第１及び第２対向側部、前面、本体の最も後方の延出部を規定している背面、並びに、前記前面と前記背面の間に位置するバルクヘッドを含む本体であって、前記バルクヘッドは、前記側部の間において前記本体の前記側部の１つに隣接して位置していると共に、前記本体の前記背面からアクセス可能であり、前記バルクヘッドと前記背面の間においては、相対的に浅い深さを、そして、前記バルクヘッドと前記前面の間においては、相対的に大きな深さを規定している、本体と、
前記本体のそれぞれの側部を超えて延出している取り付けフランジと、
前記バルクヘッドに取り付けられると共に、前記本体の後方への動きによって結合アダプタ内に挿入されるべく位置している複数の光ファイバコネクタと、
前記本体の前記前面に位置している少なくとも１つのケーブル出口であって、それぞれのケーブル出口は、前記本体の前記前面を超えたベル形状の外部延出部を含んでいる、少なくとも１つのケーブル出口と、
を有する通信モジュール。
【請求項１７】
前記少なくとも１つのケーブル出口に隣接して前記本体の前記前面から延出しているハンドルを更に有する請求項１６記載の通信モジュール。
【請求項１８】
前記前面は、前記本体の側部上の前記取り付けフランジを超えて延出しているフランジを更に有する請求項１６記載の通信モジュール。
【請求項１９】
第１主面、第２主面、及び前記主面の間に延出している対向する横断側面のペアを有し、前面開口部と前記前面開口部に対向する背面と共に内部空間を規定しているハウジングと、
前記前面開口部を通じて挿入される通信モジュールのために規定された複数の取り付け場所であって、前記モジュールは、前記横断側面の中の１つに対して略平行に方向付けされている、複数の取り付け場所と、
を有しており、
それぞれの取り付け場所は、前記第１及び第２主面の中の１つに隣接して位置するアダプタアセンブリを含んでおり、前記アダプタアセンブリは、前記ハウジングの前記内部空間内に取り外し可能に取り付けられると共に、複数の一体で形成された光ファイバアダプタを有する単一のハウジングを含んでおり、それぞれの光ファイバアダプタは、前面端部及び背面端部を含んでおり、前記アダプタアセンブリは前記前面端部と前記背面端部との間に位置するアクセス開口部を含んでおり、それぞれの端部は、結合する光ファイバコネクタを収容するべく構成されており、それぞれの通信モジュールは、取り外し可能に取り付けられた前記アダプタアセンブリとは独立して前記ハウジング内に取り付けられるように構成され、前記通信モジュールがシャーシ内に取り付けられる時に前記通信モジュールと前記アダプタアセンブリとは互いに係合するように構成されており、
それぞれのアダプタアセンブリは、前記前面開口部を通じて挿入された前記結合する光ファイバコネクタを収容するべく位置した前面端部を有する前記少なくとも１つの光ファイバアダプタを、前記背面に向かって、且つ、前記横断側面に対して略平行に、方向付けしており、
それぞれのアダプタアセンブリは、結合する光ファイバコネクタを有する光ファイバケーブルを前記アダプタの前記背面端部に対して方向付けすると共にこの内部に挿入できるように、前記複数のアダプタを、前記前面開口部の背後の場所において、且つ、前記背面の前方において、前記ハウジングの前記内部空間内に保持するべく位置しており、
前記アダプタアセンブリは、前記複数のアダプタの前記背面端部に対して前記内部空間の外部においてアクセスできるように、前記ハウジングの前記内部空間から取り外し可能であり、前記アダプタアセンブリは、それぞれの光ファイバアダプタに対して内部ハウジングコンポーネント及びフェルールアライメントスリーブを含んでおり、前記アクセス開口部は、前記内部ハウジングコンポーネント及び前記フェルールアライメントスリーブを前記前面端部と前記背面端部との間において前記光ファイバアダプタ内に配置できるようにサイズ設定されており、パネルが、それぞれのアダプタの前記アクセス開口部内に位置しており、前記内部ハウジングコンポーネント及び前記フェルールアライメントスリーブを前記光ファイバアダプタ内に保持する、光ファイバ通信シャーシ。
【請求項２０】
更に、
前記シャーシの前記前面開口部からアクセス可能な取っ手と、前記光ファイバアダプタアセンブリの前記複数の一体で形成された光ファイバアダプタの内の２つの中に挿入するための２つの先端部と、を含むダストプラグであって、前記光ファイバアダプタの前記端部内に挿入されて前記アダプタの内部空間を汚染物質からシーリングするダストプラグを有する請求項１９に記載の光ファイバ通信シャーシ。
【請求項２１】
シャーシ及び前記シャーシ内に取り付けられたモジュールを有する通信アセンブリであって、
前記シャーシは、
開放した前面を通じてアクセス可能である内部空間を規定している上部、底部、及び対向する側部を有するハウジングであって、前記内部空間は、前記開放した前面に対向している背面によって実質的に閉鎖されている、ハウジングと、
前記内部空間内の少なくとも１つの取り付け場所と、
前記内部空間内に取り付けられた前記取り付け場所のそれぞれに対応する少なくとも１つの光ファイバアダプタアセンブリであって、それぞれのアダプタアセンブリは、単一のハウジングを含み、該単一のハウジング内には、複数のアダプタが一体で形成されており、それぞれのアダプタは、前記開放した前面に向かって方向付けられた前面端部と、前記背面に向かって方向付けられた背面端部を含んでおり、それぞれの端部は、光ファイバコネクタを収容するべく構成されている、少なくとも１つの光ファイバアダプタアセンブリと、
を有しており、
それぞれのアダプタアセンブリハウジングは、前記シャーシの前記側部の中の１つに隣接した取り付け部を含んでおり、前記アダプタアセンブリは、前記アダプタアセンブリの前記アダプタの前記背面端部に対するアクセスを許容するべく、前記シャーシの前記開放した前面を通じて前記内部空間から取り外し可能であり、前記アダプタアセンブリは、前記アダプタを前記開放した前面の背後において前記内部空間内に配置しており、
前記モジュールは、前記取り付け場所の中の１つのものに取り付けられており、且つ、前記アダプタアセンブリの前記複数の光ファイバアダプタに係合する複数の光ファイバコネクタが取り付けられるバルクヘッドを有するハウジングを含んでおり、前記モジュールの前記バルクヘッドは、前記モジュールの前記ハウジングの最も後方の延出部の前方に位置しており、前記モジュールは、内部空間を規定している本体と、前記本体の前記内部空間内の少なくとも１つの光学コンポーネントと、ケーブル出口を有する前面と、を更に有しており、前記モジュールの前記本体は、前記バルクヘッドと前記モジュールの背面との間においては、相対的に浅い深さを、そして、前記バルクヘッドと前記モジュールの前記前面との間においては、相対的に大きな深さを規定している、通信アセンブリ。
【請求項２２】
シャーシ及び前記シャーシ内に取り付けられたモジュールを有する通信アセンブリであって、
前記シャーシは、
開放した前面を通じてアクセス可能である内部空間を規定している上部、底部、及び対向する側部を有するハウジングであって、前記内部空間は、前記開放した前面に対向している背面によって実質的に閉鎖されている、ハウジングと、
前記内部空間内の少なくとも１つの取り付け場所と、
前記内部空間内に取り付けられた前記取り付け場所のそれぞれに対応する少なくとも１つの光ファイバアダプタアセンブリであって、それぞれのアダプタアセンブリは前記モジュールとは独立して前記シャーシに取り付けられており、前記アダプタアセンブリ及び前記モジュールが前記シャーシ内に取り付けられる時に前記モジュールと前記アダプタアセンブリとは互いに係合し、それぞれのアダプタアセンブリは、単一のハウジングを含み、該単一のハウジング内には、複数のアダプタが一体で形成されており、それぞれのアダプタは、前記開放した前面に向かって方向付けられた前面端部と、前記背面に向かって方向付けられた背面端部とを含んでおり、それぞれの端部は、光ファイバコネクタを収容するべく構成されている、少なくとも１つの光ファイバアダプタアセンブリと、
を有しており、
それぞれのアダプタアセンブリハウジングは、前記シャーシの前記側部の中の１つに隣接した取り付け部を含んでおり、前記アダプタアセンブリは、前記アダプタアセンブリの前記アダプタの前記背面端部に対するアクセスを許容するべく、前記シャーシの前記開放した前面を通じて前記内部空間から取り外し可能であり、前記アダプタアセンブリは、前記アダプタを前記開放した前面の背後において前記内部空間内に配置しており、
前記モジュールは、前記取り付け場所の中の１つのものに取り付けられており、且つ、前記アダプタアセンブリの前記複数の光ファイバアダプタに係合する複数の光ファイバコネクタが取り付けられるバルクヘッドを有するハウジングを含んでおり、前記モジュールは、内部空間を規定している本体と、前記内部空間内の少なくとも１つの光学コンポーネントと、ケーブル出口を有する前面と、を更に有しており、前記モジュールの前記バルクヘッドは、前記モジュールの前記ハウジングの最も後方の延出部の前方に位置しており、前記モジュールの前記本体は、前記バルクヘッドと前記モジュールの背面との間においては、相対的に浅い深さを、そして、前記バルクヘッドと前記モジュールの前記前面との間においては、相対的に大きな深さを規定している、通信アセンブリ。